(57)【特許請求の範囲】
【請求項１】
接近、離間可能に構成される第１の金型（１１４）と第２の金型（１１８）を用いた射出成形方法であって、
前記第１の金型（１１４）は、前記第２の金型（１１８）に対して変位可能であり且つ、上部に凹部（１４８）が形成されたコア（１３６）を有し、前記第２の金型（１１８）は、前記コア（１３６）の凹部（１４８）に対応する凸部（１６８）を有し、
前記コア（１３６）と前記第２の金型（１１８）とを互いに当接させ、前記凸部（１６８）の下端面である壁部（１６９）と、前記壁部（１６９）とともに前記凸部（１６８）を構成し前記第１の金型（１１４）の移動方向に平行な平行面（１７０）と、前記壁部（１６９）と対向し前記コア（１３６）の凹部（１４８）を構成する第１底部（１４９）と、前記平行面（１７０）と対向し前記コア（１３６）の凹部（１４８）を構成する内壁面（１５３）との間に密閉された第１のキャビティ（２００）を形成する工程と、
第１の材料を前記第２の金型（１１８）に設けられたランナ（１７４）に流通させ、前記第２の金型（１１８）に設けられたゲート（１８４）から前記第１のキャビティ（２００）に射出して成形する工程と、
前記第１の金型（１１４）を前記第１のキャビティ（２００）に成形された成形品（１２，２０）とともに前記第２の金型（１１８）から離間する方向に移動させ、前記平行面（１７０）と前記内壁面（１５３）によって前記成形品（１２，２０）の一部を支持した状態で、前記壁部（１６９）と、前記成形品（１２，２０）の凹部の構成する側面（２４）と第２底部（２５）との間に密閉された第２のキャビティ（２０２）を形成する工程と、
前記第１の材料が流通した前記ランナ（１７４）に第２の材料を流通させ、前記第１の材料が射出された前記ゲート（１８４）から前記第２の材料を前記第２のキャビティ（２０２）に射出して成形する工程と、
を有することを特徴とする射出成形方法。
【請求項２】
接近、離間可能に構成される第１の金型（１１４）と第２の金型（１１８）とを備え、前記第１の金型（１１４）は、前記第２の金型（１１８）に対して変位可能であり且つ、上部に凹部（１４８）が形成されたコア（１３６）を有し、前記第２の金型（１１８）は、前記コア（１３６）の凹部（１４８）に対応する凸部（１６８）を有する射出成形装置（１００）であって、
前記コア（１３６）と前記第２の金型（１１８）とを互いに当接させ、前記凸部（１６８）の下端面である壁部（１６９）と、前記壁部（１６９）とともに前記凸部（１６８）を構成し前記第１の金型（１１４）の移動方向に平行な平行面（１７０）と、前記壁部（１６９）と対向し前記コア（１３６）の凹部（１４８）を構成する第１底部（１４９）と、前記平行面（１７０）と対向し前記コア（１３６）の凹部（１４８）を構成する内壁面（１５３）との間に密閉された第１のキャビティ（２００）を形成する一方、前記第１の金型（１１４）を前記第１のキャビティ（２００）に成形された成形品（１２，２０）とともに前記第２の金型（１１８）から離間する方向に移動させ、前記平行面（１７０）と前記内壁面（１５３）によって前記成形品（１２，２０）の一部を支持した状態で、前記壁部（１６９）と、前記成形品（１２，２０）の凹部を構成する側面（２４）と第２底部（２５）との間に密閉された第２のキャビティ（２０２）を形成する金型変位機構（１２６）と、
前記第１のキャビティ（２００）と前記第２のキャビティ（２０２）に連通し、成形用の材料が流通するゲート（１８４）およびランナ（１７４）と、
を備えることを特徴とする射出成形装置。
【発明の詳細な説明】
【０００１】
【発明の属する技術分野】
本発明は、熱可塑性材料を使用して多層成形品を製造するための射出成形方法および装置に関する。
【０００２】
【従来の技術】
従来から、複数の種類の樹脂等の材料を使用して射出成形するための装置として、例えば、実公平５−１８１１１号公報に開示されている射出成形用金型装置が知られている。この射出成形用金型装置は、第１キャビティを構成するキャビティ型とコア型とを有し、コア型には第１キャビティ内に進退可能でかつ第２キャビティが形成された移動コアが設けられる。
【０００３】
この射出成形用金型装置で成形を行う場合、先ず、移動コアが第１キャビティに進出した状態で第１次射出用ゲートから第２キャビティに第１材料を射出充填し、次に、移動コアを第１材料により成形された成形品とともに後退させ、第２次射出用ゲートから第１キャビティに第２材料を射出充填して成形品を得る。
【０００４】
しかしながら、上記の従来の射出成形用金型装置では、第１キャビティに第２材料を充填した際、移動コアとコア型との間にバリが発生する懸念があり、成形精度が低下するとともに、このバリを取り除くための工程が必要となるという問題がある。
【０００５】
一方、特公平１−３９３２７号公報に開示されている射出成形方法および装置では、固定金型と可動金型との間に形成されたキャビティに多色成形用ゲートまたは多層成形用ゲートのいずれかが連通し、それぞれのゲートが切換弁を介して各可塑化射出装置に接続されている。
【０００６】
この射出成形装置によって多層射出成形をする場合、切換弁により多層成形用ゲートと複数の可塑化射出装置とを接続し、一方の可塑化射出装置により第１の材料をキャビティ内に射出して成形品の外周部を成形し、次いで、他方の可塑化射出装置により第２の材料を射出して成形品の内部を成形する。
【０００７】
しかしながら、この装置では、最初に射出成形された第１の材料からなる不安定な状態の成形品の内部に第２の材料が射出されるため、最終的に得られる成形品の形状の精度が十分に確保されないおそれがある。
【０００８】
【発明が解決しようとする課題】
本発明は前記の課題を解決すべくなされたものであって、多層成形品を高精度に成形することができるとともに、バリ除去作業等を不要として効率的に多層成形品を得ることのできる射出成形方法および装置を提供することを目的とする。
【０００９】
【課題を解決するための手段】
前記の目的を達成するために、本発明は、接近、離間可能に構成される第１の金型（１１４）と第２の金型（１１８）を用いた射出成形方法であって、
前記第１の金型（１１４）は、前記第２の金型（１１８）に対して変位可能であり且つ、上部に凹部（１４８）が形成されたコア（１３６）を有し、前記第２の金型（１１８）は、前記コア（１３６）の凹部（１４８）に対応する凸部（１６８）を有し、
前記コア（１３６）と前記第２の金型（１１８）とを互いに当接させ、前記凸部（１６８）の下端面である壁部（１６９）と、前記壁部（１６９）とともに前記凸部（１６８）を構成し前記第１の金型（１１４）の移動方向に平行な平行面（１７０）と、前記壁部（１６９）と対向し前記コア（１３６）の凹部（１４８）を構成する第１底部（１４９）と、前記平行面（１７０）と対向し前記コア（１３６）の凹部（１４８）を構成する内壁面（１５３）との間に密閉された第１のキャビティ（２００）を形成する工程と、
第１の材料を前記第２の金型（１１８）に設けられたランナ（１７４）に流通させ、前記第２の金型（１１８）に設けられたゲート（１８４）から前記第１のキャビティ（２００）に射出して成形する工程と、
前記第１の金型（１１４）を前記第１のキャビティ（２００）に成形された成形品（１２，２０）とともに前記第２の金型（１１８）から離間する方向に移動させ、前記平行面（１７０）と前記内壁面（１５３）によって前記成形品（１２，２０）の一部を支持した状態で、前記壁部（１６９）と、前記成形品（１２，２０）の凹部の構成する側面（２４）と第２底部（２５）との間に密閉された第２のキャビティ（２０２）を形成する工程と、
前記第１の材料が流通した前記ランナ（１７４）に第２の材料を流通させ、前記第１の材料が射出された前記ゲート（１８４）から前記第２の材料を前記第２のキャビティ（２０２）に射出して成形する工程と、
を有することを特徴とする。
【００１０】
また、本発明は、接近、離間可能に構成される第１の金型（１１４）と第２の金型（１１８）とを備え、前記第１の金型（１１４）は、前記第２の金型（１１８）に対して変位可能であり且つ、上部に凹部（１４８）が形成されたコア（１３６）を有し、前記第２の金型（１１８）は、前記コア（１３６）の凹部（１４８）に対応する凸部（１６８）を有する射出成形装置（１００）であって、
前記コア（１３６）と前記第２の金型（１１８）とを互いに当接させ、前記凸部（１６８）の下端面である壁部（１６９）と、前記壁部（１６９）とともに前記凸部（１６８）を構成し前記第１の金型（１１４）の移動方向に平行な平行面（１７０）と、前記壁部（１６９）と対向し前記コア（１３６）の凹部（１４８）を構成する第１底部（１４９）と、前記平行面（１７０）と対向し前記コア（１３６）の凹部（１４８）を構成する内壁面（１５３）との間に密閉された第１のキャビティ（２００）を形成する一方、前記第１の金型（１１４）を前記第１のキャビティ（２００）に成形された成形品（１２，２０）とともに前記第２の金型（１１８）から離間する方向に移動させ、前記平行面（１７０）と前記内壁面（１５３）によって前記成形品（１２，２０）の一部を支持した状態で、前記壁部（１６９）と、前記成形品（１２，２０）の凹部を構成する側面（２４）と第２底部（２５）との間に密閉された第２のキャビティ（２０２）を形成する金型変位機構（１２６）と、
前記第１のキャビティ（２００）と前記第２のキャビティ（２０２）に連通し、成形用の材料が流通するゲート（１８４）およびランナ（１７４）と、
を備えることを特徴とする。
【００１１】
本発明によれば、金型変位機構を用いて第１の金型を第２の金型から離間する方向に変位させたとき、第１の材料により成形された成形品の一部が、第２の金型の凸部を構成し前記第１の金型の移動方向に平行な平行面と、平行面と対向しコアの凹部を構成する内壁面によって支持されるため、該成形品が十分に固化していない状態であっても成形品の変形が阻止される。また、第２の材料を第２のキャビティに射出する際、第１の材料により成形された成形品の一部が冷却されることで第２の金型の凸部側に変位し、該凸部と密着する。このため、第２の材料と、第１の材料からなる成形品の一部との密着力が増大し、バリの発生が阻止される。従って、成形品の成形精度を向上させることができるとともに、バリを除去する作業を不要とすることができる。
【００１２】
この場合、前記第２の金型に対して変位可能な第１の金型を構成するコアを設け、前記第１のキャビティを形成する工程では、前記コアを前記第２の金型に当接させ、前記第２の金型の凸部の下端面である壁部と、前記壁部とともに前記凸部を構成し前記第１の金型の移動方向に平行な平行面と、前記壁部と対向し前記コアの凹部を構成する第１底部と、前記平行面と対向し前記コアの凹部を構成する内壁面との間に密閉された第１のキャビティを形成し、前記第２のキャビティを形成する工程では、前記コアを前記第２の金型から離間する方向に移動させ、前記壁部と、前記成形品の凹部を構成する側面と第２底部との間に密閉された第２のキャビティを形成すると、前記第２のキャビティを形成する際に前記コアだけを移動すればよいため、駆動系を小さくすることができ、好適である。
【００１３】
【発明の実施の形態】
本発明に係る射出成形方法について、それを実施する装置との関係において、好適な実施の形態を挙げ、添付の図面を参照しながら以下詳細に説明する。
【００１４】
図１において、参照符号１０は、本実施の形態に係る射出成形装置１００によって製造される成形品であるヘリカルギアを示す。
【００１５】
ヘリカルギア１０は、外周部に形成された歯部１２と、歯部１２の内側に形成された円板部１６とからなり、歯部１２の外壁に形成された山部１４はヘリカルギア１０の軸線に対して傾斜している。円板部１６の中央には孔部１８が形成される。円板部１６は第１の樹脂板２０と第２の樹脂板２２からなる二層構造に形成される。第１の樹脂板２０と歯部１２とは、潤滑性に優れ、強度の高い樹脂からなる第１の材料で一体的に形成され、一方、第２の樹脂板２２は成形の際に収縮率の小さい樹脂からなる第２の材料で形成される。なお、第１の材料と第２の材料とが同一の材料であってもよい。
【００１６】
次に、前記ヘリカルギア１０を製造する本実施の形態に係る射出成形装置１００について、図２および図３を参照して説明する。
【００１７】
この射出成形装置１００は、板状の下型取付部材１１２に固着された下型（第１の金型）１１４と、上型取付部材１１６に固着された上型（第２の金型）１１８とを備える。下型１１４には凹部１２０が形成され、凹部１２０を構成する底部には進退機構（金型変位機構）１２６が設けられる。進退機構１２６は、下面が傾斜した変位部材１２８と、変位部材１２８に摺動自在に係合し上面が傾斜したカム部材１３０とを有し、カム部材１３０には下型１１４の側部に設けられたシリンダ１３２のシリンダロッド１３４が固着される。
【００１８】
変位部材１２８の上部には凹部１２０を構成する壁部に摺動自在な支持板１３５が固着され、支持板１３５の上部にはコア１３６が固着される。コア１３６の下部には凹部１３８が形成され、凹部１３８には板状部材１４０が変位可能に配設される。板状部材１４０の下部には支持板１３５、進退機構１２６、下型１１４および下型取付部材１１２を挿通してエジェクタピン１４２が固着され、板状部材１４０の上部にはコア１３６を挿通してリターンピン１４４が立設される。また、板状部材１４０の上部には複数の押出ピン１４６が立設され、押出ピン１４６の上部はコア１３６の上部に形成された凹部１４８を構成する第１底部１４９に突出可能である。凹部１４８を構成する底部中央には凸部１５０が形成される。
【００１９】
コア１３６には凹部１４８を構成する内壁に沿って歯部成形部材１５２が設けられ、歯部成形部材１５２の外周にはフランジ部１５４が形成される。フランジ部１５４の上部にはボールベアリング１５６が配設され、このため、歯部成形部材１５２はコア１３６に挿通されたリターンピン１４４を中心として回転自在に構成される。コア１３６には該コア１３６を冷却するための冷却水を導入する冷却水通路１５８が形成される。
【００２０】
上型１１８の下部にはコア１３６の凹部１４８に臨入する凸部１６８が形成される。凸部１６８の中央には凹部１７２が形成され、凹部１７２にはコア１３６の凸部１５０が臨入する。凸部１６８の外周部にはコア１３６の変位方向と平行する平行面１７０が形成される。
【００２１】
なお、下型１１４と上型１１８とが型締めされると、コア１３６の凹部１４８を構成する第１底部１４９、凸部１５０を構成する壁部、歯部成形部材１５２の内壁面１５３、上型１１８の凸部１６８を構成する壁部１６９および平行面１７０によってキャビティが形成される。
【００２２】
上型１１８にはホットランナ１７４が設けられる。ホットランナ１７４は、鉛直方向に延在する複数の筒状部１７６と、それぞれの筒状部１７６に連結された連結部１７８と、連結部１７８に設けられ、上型１１８の上部に配設された供給機構１８０に連通する供給部１８２とを有する。筒状部１７６の下端部は凸部１６８と同一平面に形成され、筒状部１７６の内壁には下方に向かって縮径したゲート１８４が形成される。筒状部１７６の内部には筒状のヒータ１８８が設けられる。また、連結部１７８にもヒータ１８９が設けられる。上型１１８の上部に形成された凹部１９０には蓋部材１９２が嵌合し、このため、ホットランナ１７４が蓋部材１９２によって押さえられる。上型１１８には該上型１１８を冷却するための冷却水を導入する冷却水通路１９４が形成される。
【００２３】
本実施の形態に係る射出成形装置１００は、基本的には以上のように構成されるものであり、次に、この射出成形装置１００の使用方法について、本実施の形態に係る射出成形方法との関連で、図４に示すフローチャートを参照して説明する。
【００２４】
先ず、供給機構１８０を制御する図示しないコントローラにより第１の材料を計量し、該第１の材料を所定量だけ供給機構１８０から導出する準備をしておく（ステップＳ１）。次いで、図２に示すように、下型１１４が上型１１８に向かって変位することで型締めされる（ステップＳ２）。さらに、シリンダ１３２の駆動作用下にカム部材１３０が矢印Ａ方向に変位し、変位部材１２８の傾斜した下面とカム部材１３０の傾斜した上面との係合作用下にコア１３６が上型１１８に向かって移動し、コア１３６の上面が上型１１８の下面に当接する（ステップＳ３）。このため、コア１３６の凹部１４８を構成する第１底部１４９、凸部１５０を構成する壁部、歯部成形部材１５２の内壁面１５３、上型１１８の凸部１６８を構成する壁部１６９および平行面１７０により第１のキャビティ２００が形成される。
【００２５】
次に、前記ステップＳ１で所定量に計量された第１の材料が供給機構１８０からホットランナ１７４に供給され、ヒータ１８８、１８９により溶融した状態を維持しながらゲート１８４から射出され、第１のキャビティ２００に充填される（ステップＳ４）。これにより、ヘリカルギア１０の歯部１２および第１の樹脂板２０が成形される。この歯部１２の内周には凸部１６８に形成された平行面１７０に対応した面２４（側面）が成形される。
【００２６】
次いで、第２の材料を計量し、該第２の材料を所定量だけ供給機構１８０から導出する準備をしておく（ステップＳ５）。
【００２７】
次に、第１の材料が固化し、しかしながら、十分に冷えないうちに、シリンダ１３２を駆動して変位部材１２８を矢印Ｂ方向に変位させ、図３に示すように、コア１３６を上型１１８から離間させる（ステップＳ６）。このとき、上型１１８の凸部１６８、ステップＳ４で成形されたヘリカルギア１０の歯部１２の内周の面２４、第１の樹脂板２０の上面２５（第２底部）および凸部１５０の外壁部により第２のキャビティ２０２が形成される。この第２のキャビティ２０２は、コア１３６の上面と上型１１８の下面とが離間しているにも拘わらず、平行面１７０により成形された面２４によりコア１３６の上面と上型１１８の下面との空間から隔離され、密封状態が維持される。この時点では、第１の材料がまだ十分に固化していないが、歯部１２の面２４が平行面１７０により支持されるため、歯部１２の変形が阻止される。従って、歯部１２の成形精度が向上する。
【００２８】
供給機構１８０が切り替えられ、前記ステップＳ５で所定量に計量された第２の材料がホットランナ１７４に供給され、ヒータ１８８、１８９により溶融した状態を維持しながらゲート１８４から射出され、第２のキャビティ２０２に充填される（ステップＳ７）。これにより、ヘリカルギア１０の第２の樹脂板２２が成形される。このとき、第１の樹脂板２０はまだ十分に固化した状態になっていない。そこへ、ホットランナ１７４内に溶融した状態で残留していた第１の材料が第２の材料に押し出されて第１の樹脂板２０上に射出されて該第１の樹脂板２０の表面が溶融し、第２の材料からなる第２の樹脂板２２が成形される。このため、第１の樹脂板２０と第２の樹脂板２２とが強固に固着される。また、第２の材料が、凸部１６８の平行面１７０と、歯部１２の内周の面２４との間隙に導入されることが懸念されるが、第１の材料が冷却される際、面２４が平行面１７０側に変位するため、面２４と平行面１７０とが密着することになる。このため、第２の材料の面２４に対する密着力が増大し、バリの発生が回避される。従って、成形されたヘリカルギア１０に発生するバリを減少させることができ、成形品質を向上させることができる。
【００２９】
また、第１のキャビティ２００によって第１の樹脂板２０および歯部１２が正確に成形されて固化した後、該第１の樹脂板２０および該歯部１２と凸部１６８とによって第２のキャビティ２０２が形成されるため、第２の材料が射出される際に第２のキャビティ２０２の形状が安定しており、第２の樹脂板２２が正確な形状に成形され、最終的に成形されるヘリカルギア１０の形状の精度が十分に確保される。
【００３０】
このようにしてヘリカルギア１０が成形され、ヘリカルギア１０が固化するまで冷却した後（ステップＳ８）、下型１１４を上型１１８から離間させて型開きする（ステップＳ９）。次に、エジェクタピン１４２が上昇すると、押出ピン１４６が上昇してヘリカルギア１０を押圧する。従って、ヘリカルギア１０は上昇し、成形品であるヘリカルギア１０がコア１３６から取り出される（ステップＳ１０）。このとき、歯部１２に係合している歯部成形部材１５２は山部１４の傾斜に従って回転し、歯部１２と歯部成形部材１５２との係合が解除される。
【００３１】
なお、ステップＳ８でヘリカルギア１０を冷却させるのと並行して、第１の材料を計量して供給機構１８０から導出する準備をしておくと、射出成形処理に必要なサイクルタイムを短縮することができ、製造効率が向上する。
【００３２】
以上のようにして成形されたヘリカルギア１０は、射出成形装置１００から次の工程に搬送される。
【００３３】
本実施の形態に係る射出成形装置１００を用いた射出成形方法では、第１の材料により第１の樹脂板２０および歯部１２を成形した後、コア１３６を上型１１８から離間させたとき、歯部１２の面２４が平行面１７０により支持されるため、第１の材料が十分に固化していない状態であっても歯部１２の変形が阻止される。また、第２のキャビティ２０２を構成する面２４と、該面２４を成形する平行面１７０との間に第２の材料が導入されることが懸念されるが、第１の材料の一部が冷却されることで面２４が平行面１７０側に変位し、面２４と平行面１７０とがより密着することになるため、第２の材料の面２４に対する密着力が増大し、バリの発生が回避される。従って、成形品からバリを除去する作業をなくし、効率的にヘリカルギア１０を製造することができる。
【００３４】
本実施の形態では、下型１１４にコア１３６が変位可能に設けられ、下型１１４と上型１１８とが当接した状態でコア１３６を移動させて第２のキャビティ２０２を形成しているが、下型１１４、上型１１８を移動させる駆動力を十分に確保できる場合には、下型１１４をコア１３６と一体的に形成し、下型取付部材１１２と下型１１４との間に図示しない進退機構を設けて下型１１４と上型１１８とを離間する方向に変位させて第２のキャビティ２０２を形成してもよい。
【００３５】
この場合、下型１１４の上面と上型１１８の下面との間に隙間が形成されたときに、下型１１４と上型１１８とが離間して不安定になり、位置誤差が生じる懸念がある。そこで、この隙間にスペーシングプレートを水平方向に挿入して下型１１４に対して上型１１８を支持したり、上型１１８に油圧シリンダを設け、下型１１４と上型１１８とが離間したときに油圧シリンダのピストンロッドを突出させて下型１１４の上面に当接させ、上型１１８に対して下型１１４を支持したり、あるいは、下型１１４と上型１１８とに挿通するタイバーを設けると、位置誤差の発生を防止することができ、成形されるヘリカルギア１０の成形精度が向上する。
【００３６】
また、第１の材料と第２の材料とが同一の材料である場合には、供給機構１８０の切り替えが不要となることは勿論である。
【００３７】
【発明の効果】
本発明に係る射出成形方法および装置によれば、以下のような効果ならびに利点が得られる。
【００３８】
第１の材料を第１のキャビティに射出して成形した後、第１の金型と第２の金型とを離間させたとき、成形された成形品の一部が第２の金型の凸部によって支持されるため、第１の材料が十分に固化していない状態であっても成形品の変形が阻止される。また、第２の材料を第２のキャビティに射出する際、第１の材料により成形された成形品の一部が冷却されることで第２の金型の凸部側に変位し、該凸部と密着する。このため、第２の材料と、第１の材料からなる成形品の一部との密着力が増大し、バリの発生が阻止される。従って、成形品の成形精度を向上させることができ、さらに、バリを除去する作業が不要となり、効率的に成形品を製造することが可能となる。
【図面の簡単な説明】
【図１】本発明の実施の形態に係る射出成形方法によって成形されるヘリカルギアを示す一部破断斜視図である。
【図２】本発明の実施の形態に係る射出成形装置において、第１の材料を充填した状態を示す縦断面図である。
【図３】本発明の実施の形態に係る射出成形装置において、第２の材料を充填した状態を示す縦断面図である。
【図４】本発明の実施の形態に係る射出成形方法を示すフローチャートである。
【符号の説明】
１０…ヘリカルギア                ２０…第１の樹脂板
２２…第２の樹脂板                ２４…面
１００…射出成形装置              １１４…下型
１１８…上型                      １３６…コア
１５２…歯部成形部材              １７０…平行面
１７４…ホットランナ              １８４…ゲート
２００…第１のキャビティ          ２０２…第２のキャビティ
【図１】
0003934807.tif 000002
【図２】
0003934807.tif 000003
【図３】
0003934807.tif 000004
【図４】
0003934807.tif 000005